(57)【要約】【課題】太陽光のエネルギー密度が一様でない集熱レシーバから効率よくエネルギーを回収することができる集熱レシーバを提供する。【解決手段】吸収体１０Ａにおける太陽光ＳＢが照射される被照射面のうち、中央部を第１のハニカム体２２の外側端面２２１により形成し、中央部を囲む周辺部を第２のハニカム体２３の外側端面２３１により形成した。そして、第１のハニカム体２２における第１のハニカム体流路２２２の通気抵抗よりも、第２のハニカム体２３における第２のハニカム体流路２３２の通気抵抗を高くした。これにより、吸引した空気の温度の低下を防止して、太陽光ＳＢのエネルギー密度が一様でない集熱レシーバ１０Ａから効率よくエネルギーを回収することができる。【選択図】図５
2016017690.tif 000002
【特許請求の範囲】
【請求項１】
太陽光を吸収する吸収体と、前記吸収体を保持するハウジングと、からなる集熱レシーバであって、
前記吸収体における前記太陽光が照射される被照射面のうち、前記被照射面の中央部が第１のハニカム体の外側端面により形成され、前記被照射面の前記中央部を囲む周辺部が第２のハニカム体の外側端面により形成され、
前記第１のハニカム体における第１のハニカム体流路の通気抵抗よりも前記第２のハニカム体における第２のハニカム体流路の通気抵抗の方が高い集熱レシーバ。
【請求項２】
請求項１に記載の集熱レシーバにおいて、
前記第２のハニカム体は、前記第２のハニカム体流路に抵抗要素を有している集熱レシーバ。
【請求項３】
請求項２に記載の集熱レシーバにおいて、
前記第１のハニカム体の前記外側端面における単位面積当たりの前記第１のハニカム体流路の開口率よりも、前記第２のハニカム体の前記外側端面における単位面積当たりの前記第２のハニカム体流路の開口率が小さい集熱レシーバ。
【請求項４】
請求項２に記載の集熱レシーバにおいて、
前記第１のハニカム体の前記第１のハニカム体流路の流路長さが、前記第２のハニカム体の前記第２のハニカム体流路の流路長さよりも短い集熱レシーバ。
【請求項５】
請求項２に記載の集熱レシーバにおいて、
前記第１のハニカム体は前記第１のハニカム体流路を複数有するとともに、前記第２のハニカム体は前記第２のハニカム体流路を複数有し、
前記第１のハニカム体の前記外側端面における前記第１のハニカム体流路の開口率よりも前記第２のハニカム体の前記外側端面における前記第２のハニカム体流路の開口率が小さい集熱レシーバ。
【請求項６】
請求項１から請求項５のうちのいずれか1項に記載の集熱レシーバにおいて、
前記被照射面の前記中央部と前記周辺部との間に空隙部が設けられている集熱レシーバ。
【請求項７】
請求項１から請求項６のうちのいずれか1項に記載の集熱レシーバにおいて、
前記第２のハニカム体における前記外側端面の幅寸法は、前記太陽光を前記被照射面に反射するミラーと前記第２のハニカム体との距離に対するsin０．４度〜sin１．５度である集熱レシーバ。
【発明の詳細な説明】
【技術分野】
【０００１】
本発明は、太陽光を受けて熱に変換する集熱レシーバに関する。
【背景技術】
【０００２】
太陽熱、地熱などを利用した自然エネルギーは、天然資源を枯渇させることがない上に、大気汚染、地球温暖化、廃棄物等の問題がなく、核燃料、化石燃料に替わるエネルギー源として期待されている。中でも太陽光を利用した太陽熱発電は、エネルギーの量が豊富であり、地熱エネルギーのように偏在せず、どこでも得られるのでその利用が期待されている。
太陽熱発電には、太陽の追尾機能を有するミラーを用い太陽光をタワーに備えられた集熱レシーバに集光させるタワー型の太陽熱発電がある。タワー型の太陽熱発電では、多くのミラーからの光を１カ所に集めるので高い温度が得られ、エネルギー効率が高い特徴がある。
【０００３】
タワー型の太陽熱発電に用いられる集熱レシーバは、高い温度を得るために、材質、構造など様々な工夫がされている。
特許文献１には、集熱レシーバを通過して温度上昇した空気を熱交換し、温度の低くなった空気を一部又は全部を、分岐管を用いて集熱レシーバの前面に返送し、再度吸引させるようにした集熱レシーバの構造が提案されている。
【先行技術文献】
【特許文献】
【０００４】
【特許文献１】特開２０１２−９３００３号公報
【発明の概要】
【発明が解決しようとする課題】
【０００５】
しかしながら、集熱レシーバは、吸収体の被照射面に対して均一に太陽の反射光が照射されることはなく、被照射面の中央部に照射される反射光に比較して、被照射面の中央部を囲む周辺部に照射される反射光は弱い。
すなわち、従来の集熱レシーバは、吸収体の被照射面が受け取るエネルギー密度が、中央部と周辺部で異なるため、吸収体の内側から排出される気体の温度が中央部と周辺部とで異なる。換言すれば、中央部の裏側から排出される温風と、周辺部の裏側から排出される温風のエネルギー密度とが不均一となっていた。このため、集熱レシーバから効率よくエネルギーを回収することが困難であった。
【０００６】
本発明では、前記課題を鑑み、太陽光のエネルギー密度が一様でない集熱レシーバから効率よくエネルギーを回収することができる集熱レシーバを提供することを目的とする。
【課題を解決するための手段】
【０００７】
前記課題を解決するための本発明の集熱レシーバは、太陽光を吸収する吸収体と、前記吸収体を保持するハウジングと、からなる集熱レシーバであって、前記吸収体における前記太陽光が照射される被照射面のうち、前記被照射面の中央部が第１のハニカム体の外側端面により形成され、前記被照射面の前記中央部を囲む周辺部が第２のハニカム体の外側端面により形成され、前記第１のハニカム体における第１のハニカム体流路の通気抵抗よりも前記第２のハニカム体における第２のハニカム体流路の通気抵抗の方が高い集熱レシーバ。
【０００８】
本発明の集熱レシーバによれば、太陽光を吸収する吸収体と、吸収体を保持するハウジングとからなるので、吸収体により吸収された熱を、ハウジング内に取り込んで外部に漏らさないようにすることができる。
また、吸収体における太陽光が照射される被照射面のうち、中央部を第１のハニカム体の外側端面により形成し、中央部を囲む周辺部を第２のハニカム体の外側端面により形成した。このため、太陽光により温度が上昇した中央部の熱い空気は、第１のハニカム体の外側端面から吸収される。また、太陽光によって温度があまり上昇していない周辺部の空気は、第２のハニカム体の外側端面から吸収される。
【０００９】
そして、第１のハニカム体における第１のハニカム体流路の通気抵抗よりも、第２のハニカム体における第２のハニカム体流路の通気抵抗を高くした。
このため、被照射面の中央部の熱い空気を第１のハニカム体により十分に吸引するとともに、被照射面の周辺部の温度が低い空気の第２のハニカム体による吸引を抑えることができる。これにより、吸引した空気の温度の低下を防止して、太陽光のエネルギー密度が一様でない集熱レシーバから効率よくエネルギーを回収することができる。
【００１０】
さらに、本発明の集熱レシーバは、以下の態様であることが望ましい。
（１）前記第２のハニカム体は、前記第２のハニカム体流路に抵抗要素を有している。
このため、抵抗要素が第２のハニカム体の空気を流れ難くするので、第２のハニカム体による空気の吸引を抑えることができる。これにより、温度が低い周辺部の空気の吸引を抑えて、第１のハニカム体から吸引した空気の温度の低下を防止するので、太陽光のエネルギー密度が一様でない集熱レシーバから効率よくエネルギーを回収することができる。
【００１１】
（２）前記第１のハニカム体の前記外側端面における単位面積当たりの前記第１のハニカム体流路の開口率よりも、前記第２のハニカム体の前記外側端面における単位面積当たりの前記第２のハニカム体流路の開口率が小さい。
すなわち、開口率が小さいと、開口面積が小さくなるとともに、中央部における流速が小さくなる。このため、第２のハニカム体による空気の吸引量を、第１のハニカム体による吸引量よりも少なくする。これにより、温度が低い周辺部の空気の吸引を抑えて、第１のハニカム体が吸引した空気の温度の低下を防止することができ、太陽光のエネルギー密度が一様でない集熱レシーバから効率よくエネルギーを回収することができる。
【００１２】
（３）前記第１のハニカム体の前記第１のハニカム体流路の流路長さが、前記第２のハニカム体の前記第２のハニカム体流路の流路長さよりも短い。
すなわち、第２のハニカム体の第２のハニカム体流路の流路長さは、第１のハニカム体の第１のハニカム体流路の流路長さよりも長いので、第２のハニカム体の流通抵抗が大きくなり、吸引量が減少する。これにより、第２のハニカム体による温度が低い周辺部の空気の吸引を抑えて、第１のハニカム体が吸引した空気の温度の低下を防止することができ、太陽光のエネルギー密度が一様でない集熱レシーバから効率よくエネルギーを回収することができる。
【００１３】
（４）前記第１のハニカム体は前記第１のハニカム体流路を複数有するとともに、前記第２のハニカム体は前記第２のハニカム体流路を複数有し、前記第１のハニカム体の前記外側端面における前記第１のハニカム体流路の開口率よりも前記第２のハニカム体の前記外側端面における前記第２のハニカム体流路の開口率が小さい。
すなわち、第２のハニカム体の外側端面における第２のハニカム体流路の開口率が、第１のハニカム体流路の開口率よりも小さいので、第２のハニカム体の流通に抵抗を生じさせることができる。これにより、第２のハニカム体による温度が低い周辺部の空気の吸引を抑えて、第１のハニカム体が吸引した空気の温度の低下を防止することができ、太陽光のエネルギー密度が一様でない集熱レシーバから効率よくエネルギーを回収することができる。
【００１４】
（５）前記被照射面の前記中央部と前記周辺部との間に空隙部が設けられている。
第１のハニカム体と第２のハニカム体とは、受ける太陽光のエネルギーが異なるので熱膨張量が異なるが、空隙部が熱膨張を吸収するので、集熱レシーバの変形やずれを防止することができる。
【００１５】
（６）前記第２のハニカム体における前記外側端面の幅寸法は、前記太陽光を前記被照射面に反射するミラーと前記第２のハニカム体との距離に対する例えばｓｉｎ０．４度〜ｓｉｎ１．５度である。
すなわち、第２のハニカム体における外側端面の幅寸法が、太陽光を反射するミラーからの距離が例えば５ｍ〜３０ｍであるので、中央部が加熱し、効率よくエネルギーを回収できる。
【発明の効果】
【００１６】
本発明によれば、第１のハニカム体における第１のハニカム体流路の通気抵抗よりも、第２のハニカム体における第２のハニカム体流路の通気抵抗を高くした。これにより、被照射面の中央部の熱い空気を十分に吸引するとともに、被照射面の温度が低い周辺部の空気の吸引を抑えて、吸引した空気の温度の低下を防止するので、太陽光のエネルギー密度が一様でない集熱レシーバから効率よくエネルギーを回収できる。
【図面の簡単な説明】
【００１７】
【図１】本発明に係る集熱レシーバを用いた発電装置の全体図である。
【図２】（Ａ）は集熱レシーバの正面図、（Ｂ）は第１のハニカム体と第２のハニカム体の配置を示す正面図である。
【図３】本発明に係る第１実施形態の集熱レシーバの断面図である。
【図４】（Ａ）はハニカム体を上下左右に隣接して配置して生じる空隙部を示す断面図であり、（Ｂ）は空隙部に充填材を充填した場合を示す断面図である。
【図５】（Ａ）および（Ｂ）は第２のハニカム体流路の通気抵抗を高める構造例を示す概略断面図である。
【図６】本発明に係る第２実施形態の集熱レシーバの断面図であり、（Ａ）は開口率が大きい場合、（Ｂ）は開口率が小さい場合を示す。
【図７】（Ａ）〜（Ｃ）は本発明に係る第３実施形態の集熱レシーバにおけるハニカム体の長さを変えた場合を示す断面図である。
【図８】（Ａ）本発明に係る第４実施形態の集熱レシーバにおけるハニカム体のハニカム体流路の開口率が大きい場合の断面図であり、（Ｂ）は開口率が小さい場合の断面図である。
【発明を実施するための形態】
【００１８】
本発明の集熱レシーバについて説明する。
【００１９】
本発明の集熱レシーバは、太陽光を吸収する吸収体と、前記吸収体を保持するハウジングと、からなる集熱レシーバであって、前記吸収体における前記太陽光が照射される被照射面のうち、前記被照射面の中央部が第１のハニカム体の外側端面により形成され、前記被照射面の前記中央部を囲む周辺部が第２のハニカム体の外側端面により形成され、前記第１のハニカム体における第１のハニカム体流路の通気抵抗よりも前記第２のハニカム体における第２のハニカム体流路の通気抵抗の方が高い。
【００２０】
本発明の集熱レシーバによれば、太陽光を吸収する吸収体と、吸収体を保持するハウジングとからなるので、吸収体により吸収された熱を、ハウジング内に取り込んで外部に漏らさないようにすることができる。
また、吸収体における太陽光が照射される被照射面のうち、中央部を第１のハニカム体の外側端面により形成し、中央部を囲む周辺部を第２のハニカム体の外側端面により形成した。このため、太陽光により温度が上昇した中央部の熱い空気は、第１のハニカム体の外側端面から吸収される。また、太陽光によって温度があまり上昇していない周辺部の空気は、第２のハニカム体の外側端面から吸収される。
【００２１】
そして、第１のハニカム体における第１のハニカム体流路の通気抵抗よりも、第２のハニカム体における第２のハニカム体流路の通気抵抗を高くした。
このため、被照射面の中央部の熱い空気を第１のハニカム体により十分に吸引するとともに、被照射面の周辺部の温度が低い空気の第２のハニカム体による吸引を抑えることができる。これにより、吸引した空気の温度の低下を防止して、太陽光のエネルギー密度が一様でない集熱レシーバから効率よくエネルギーを回収することができる。
【００２２】
さらに、本発明の集熱レシーバは、以下の態様であることが望ましい。
（１）前記第２のハニカム体は、前記第２のハニカム体流路に抵抗要素を有している。
このため、抵抗要素が第２のハニカム体の空気を流れ難くするので、第２のハニカム体による空気の吸引を抑えることができる。これにより、温度が低い周辺部の空気の吸引を抑えて、第１のハニカム体から吸引した空気の温度の低下を防止するので、太陽光のエネルギー密度が一様でない集熱レシーバから効率よくエネルギーを回収することができる。
【００２３】
（２）前記第１のハニカム体の前記外側端面における単位面積当たりの前記第１のハニカム体流路の開口率よりも、前記第２のハニカム体の前記外側端面における単位面積当たりの前記第２のハニカム体流路の開口率が小さい。
すなわち、開口率が小さいと、開口面積が小さくなるとともに、中央部における流速が小さくなる。このため、第２のハニカム体による空気の吸引量を、第１のハニカム体による吸引量よりも少なくする。これにより、温度が低い周辺部の空気の吸引を抑えて、第１のハニカム体が吸引した空気の温度の低下を防止することができ、太陽光のエネルギー密度が一様でない集熱レシーバから効率よくエネルギーを回収することができる。
【００２４】
（３）前記第１のハニカム体の前記第１のハニカム体流路の流路長さが、前記第２のハニカム体の前記第２のハニカム体流路の流路長さよりも短い。
すなわち、第２のハニカム体の第２のハニカム体流路の流路長さは、第１のハニカム体の第１のハニカム体流路の流路長さよりも長いので、第２のハニカム体の流通抵抗が大きくなり、吸引量が減少する。これにより、第２のハニカム体による温度が低い周辺部の空気の吸引を抑えて、第１のハニカム体が吸引した空気の温度の低下を防止することができ、太陽光のエネルギー密度が一様でない集熱レシーバから効率よくエネルギーを回収することができる。
【００２５】
（４）前記第１のハニカム体は前記第１のハニカム体流路を複数有するとともに、前記第２のハニカム体は前記第２のハニカム体流路を複数有し、前記第１のハニカム体の前記外側端面における前記第１のハニカム体流路の開口率よりも前記第２のハニカム体の前記外側端面における前記第２のハニカム体流路の開口率が小さい。
これにより、第２のハニカム体による温度が低い周辺部の空気の吸引を抑えて、第１のハニカム体が吸引した空気の温度の低下を防止することができ、太陽光のエネルギー密度が一様でない集熱レシーバから効率よくエネルギーを回収することができる。
【００２６】
（５）前記被照射面の前記中央部と前記周辺部との間に空隙部が設けられている。
第１のハニカム体と第２のハニカム体とは、受ける太陽光のエネルギーが異なるので熱膨張量が異なるが、空隙部が熱膨張を吸収するので、集熱レシーバの変形やずれを防止することができる。
【００２７】
（６）前記第２のハニカム体における前記外側端面の幅寸法は、前記太陽光を前記被照射面に反射するミラーと前記第２のハニカム体との距離に対する例えばｓｉｎ０．４度〜ｓｉｎ１．５度である。
すなわち、第２のハニカム体における外側端面の幅寸法が、太陽光を反射するミラーからの距離が例えば５ｍ〜３０ｍであるので、レシーバ中央部が加熱し、エネルギーを効率よく回収できる。
【００２８】
図１に示すように、以下に説明する各実施形態の集熱レシーバ１０は、太陽光を用いた発電装置１に用いることができる。発電装置１は、中央に中央タワー２を有しする。中央タワー２の最も高い位置には、後述する集熱レシーバ１０が複数個収容されたレシーバアレイ３が配設されている。レシーバアレイ３の下には、順次、蒸気発生器４、蓄熱器５および蒸気タービン６が配設されている。
【００２９】
中央タワー２の周囲には、多数のヘリオスタット（ミラー）８が配置されている。ヘリオスタット８は、反射角度や鉛直方向を軸とした回転方向を自由に制御することが可能なように設定されている。ヘリオスタット８は、時事刻々と変化する太陽光を反射して、中央タワー２のレシーバアレイ３に集めるように自動的に制御されている。
なお、ヘリオスタット８と後述する第２のハニカム体２３との距離をＬ１とする。
【００３０】
図２（Ａ）および図２（Ｂ）に示すように、レシーバアレイ３では、太陽光照射面が開放された箱に複数の集熱レシーバ１０が、太陽光ＳＢ（図３参照）の照射を受ける被照射面を正面に向けて整列した状態で配置されている。
集熱レシーバ１０では、太陽光により昇温した高温の空気を吸引し、蒸気タービン６を駆動した後、冷却されて外部に排気される。
【００３１】
（第１実施形態）
次に、第１実施形態の集熱レシーバについて、図を用いながら説明する。
図２（Ａ）および図３に示すように、第１実施形態の集熱レシーバ１０Ａは、ヘリオスタット８から反射してきた太陽光ＳＢを吸収する被照射面を有する吸収体２０Ａと、吸収体２０Ａを保持するハウジング３０を有する。
【００３２】
吸収体２０Ａは、複数のハニカム体２１により形成されている。吸収体２０Ａは、例えば、正方形の断面形状を有するハウジング３０に、複数個のハニカム体２１を収容している。ここでは、例えば、縦５個×横５個の合計２５個のハニカム体２１が収容されている。ハニカム体２１は、セラミックで形成されている。ハニカム体２１は、例えば、アルミナ、コージェライト、炭化硅素、チタン酸アルミニウムより選択される１または２以上のセラミックより形成されているのが望ましい。
【００３３】
隣接するハニカム体２１は、空隙部２４により隔てられている。空隙部２４は、図４（Ａ）に示すように、ハニカム体２１を上下左右に隣接して配置する際に自然に発生する程度の大きさとすることができる。あるいは、図４（Ｂ）のように、空隙部２４に、鉱物性のウール状のマット等の充填材２７を充填することもできる。
【００３４】
図２（Ａ）および図２（Ｂ）に示すように、複数のハニカム体２１は、複数の第１のハニカム体２２と複数の第２のハニカム体２３を有する。図２（Ｂ）に示すように、ハウジング３０における中央部には第１のハニカム体２２が配置され、第１のハニカム体２２の周囲には第２のハニカム体２３が配置されている。
すなわち、図３に示すように、吸収体２０Ａにおいて太陽光ＳＢが照射される被照射面は、中央部に配置された第１のハニカム体２２の外側端面２２１と、周囲に配置された第２のハニカム体２３の外側端面２３１により形成されている。
ここでは、中央部の９個のハニカム体２１が、第１のハニカム体２２となっている。また、第２のハニカム体２３における外側端面２３１の幅寸法をＷ１とする（図２（Ａ）参照）。
【００３５】
図３に示すように、第１のハニカム体２２には、外側端面２２１と内側端面２２３とを連通する複数の第１のハニカム体流路２２２が、平行に設けられている。また、第２のハニカム体２３には、外側端面２３１と内側端面２２３とを連通する複数の第２のハニカム体流路２３２が、平行に設けられている。
そして、第１のハニカム体流路２２２の通気抵抗よりも、第２のハニカム体流路２３２の通気抵抗の方が高くなっている。
【００３６】
図５（Ａ）および図５（Ｂ）には、第２のハニカム体流路２３２の通気抵抗を高くする抵抗要素の例が示されている。
図５（Ａ）では、第２のハニカム体流路２３２に突起（抵抗要素）２５を設けた。第２のハニカム体流路２３２は矩形の内壁を有するので、内壁の全てに突起２５を設けることができる。あるいは、選択的にいくつかの内壁に設けることもできる。なお、突起２５の形状は特に限定するものではない。
図５（Ｂ）では、第２のハニカム体流路２３２の内壁に凹凸（抵抗要素）２６を設けた。凹凸２６は、内壁の全てに設けることができる。あるいは、選択的にいくつかの内壁に設けることもできる。さらに、第２のハニカム体流路２３２に沿って全長に設けることもできるし、一部にのみ設けることも可能である。
【００３７】
次に、本実施形態の集熱レシーバ１０Ａの作用、効果について説明する。
本実施形態の集熱レシーバ１０Ａによれば、太陽光ＳＢを吸収する吸収体２０Ａと、吸収体２０Ａを保持するハウジング３０とからなるので、吸収体２０Ａにより吸収された熱を、ハウジング３０内に取り込んで外部に漏らさないようにすることができる。
また、吸収体２０Ａにおける太陽光ＳＢが照射される被照射面のうち、中央部を第１のハニカム体２２の外側端面２２１により形成し、中央部を囲む周辺部を第２のハニカム体２３の外側端面２３１により形成した。このため、太陽光ＳＢにより温度が上昇した中央部の熱い空気は、第１のハニカム体２２の外側端面２２１から吸収される。また、太陽光ＳＢによって温度があまり上昇していない周辺部の空気は、第２のハニカム体２３の外側端面２３１から吸収される。
【００３８】
そして、第１のハニカム体２２における第１のハニカム体流路２２２の通気抵抗よりも、第２のハニカム体２３における第２のハニカム体流路２３２の通気抵抗を高くした。
このため、被照射面の中央部の熱い空気を第１のハニカム体２２により十分に吸引するとともに、被照射面の周辺部の温度が低い空気の第２のハニカム体２３による吸引を抑えることができる。これにより、吸引した空気の温度の低下を防止して、太陽光ＳＢのエネルギー密度が一様でない集熱レシーバ１０Ａから効率よくエネルギーを回収することができる。
【００３９】
本実施形態の集熱レシーバ１０Ａによれば、第２のハニカム体２３は、第２のハニカム体流路２３２に抵抗要素として突起２５や凹凸２６を有している。
このため、突起２５や凹凸２６が第２のハニカム体２３の空気を流れ難くするので、第２のハニカム体２３による空気の吸引を抑えることができる。これにより、温度が低い周辺部の空気の吸引を抑えて、第１のハニカム体２２から吸引した空気の温度の低下を防止するので、太陽光ＳＢのエネルギー密度が一様でない集熱レシーバ１０Ａから効率よくエネルギーを回収することができる。
【００４０】
本実施形態の集熱レシーバ１０Ａによれば、被照射面の中央部と周辺部との間に空隙部２４が設けられている。
第１のハニカム体２２と第２のハニカム体２３とは、受ける太陽光ＳＢのエネルギーが異なるので熱膨張量が異なるが、空隙部２４が熱膨張を吸収するので、集熱レシーバ１０Ａの変形やずれを防止することができる。
【００４１】
本実施形態の集熱レシーバ１０Ａによれば、第２のハニカム体２３における外側端面の幅寸法Ｗ１は、太陽光ＳＢを被照射面に反射するミラーと第２のハニカム体２３との距離Ｌ１に対する例えばｓｉｎ０．４度〜ｓｉｎ１．５度である。
すなわち、第２のハニカム体２３における外側端面２３１の幅寸法Ｗ１が、太陽光ＳＢを反射するヘリオスタット８からの距離Ｌ１に対するＬ１sin０．４度〜Ｌ１sin１．５度であるので、レシーバー中央部が加熱され、効率よくエネルギーが回収できる。
【００４２】
（第２実施形態）
次に、第２実施形態の集熱レシーバについて、図を用いながら説明する。なお、前述した第１実施形態に係る集熱レシーバ１０Ａと共通する部位には同じ符号を付して、重複する説明を省略することとする。
図６（Ａ）には、第２実施形態の集熱レシーバ１０Ｂの吸収体２０Ｂにおける第１のハニカム体２２の外側端面２２１が示されている。また、図６（Ｂ）には、第２のハニカム体２３の外側端面２３１が示されている。
【００４３】
図６（Ａ）および図６（Ｂ）に示すように、単位面積当たりの第１のハニカム体流路２２２の開口率よりも、単位面積当たりの第２のハニカム体流路２３２の開口率が小さい。いずれの場合でも、第１のハニカム体流路２２２および第２のハニカム体流路２３２において、内壁２２４、２３４の近傍では流速Ｖは、ゼロである。流速Ｖは、内壁２２４、２３４から離れるにつれて早くなる。従って、開口率が大きな第１のハニカム体２２の流速Ｖ１の方（図６（Ａ）参照）が、開口率が小さな第２のハニカム体２３の流速Ｖ２（図６（Ｂ）参照）よりも大きくなることができ、流量が大きくなる。
【００４４】
次に、本実施形態の集熱レシーバ１０Ｂの作用、効果について説明する。
本実施形態の集熱レシーバによれば、第１のハニカム体の外側端面における単位面積当たりの第１のハニカム体流路の開口率よりも、第２のハニカム体の外側端面における単位面積当たりの第２のハニカム体流路の開口率を小さくした。
すなわち、開口率が小さいと、開口面積が小さくなるとともに、中央部における流速が小さくなる。このため、第２のハニカム体による空気の吸引量を、第１のハニカム体による吸引量よりも少なくすることができる。これにより、温度が低い周辺部の空気の吸引を抑えて、第１のハニカム体２２が吸引した空気の温度の低下を防止することができ、太陽光のエネルギー密度が一様でない集熱レシーバから効率よくエネルギーを回収することができる。
【００４５】
（第３実施形態）
次に、第３実施形態の集熱レシーバについて、図を用いながら説明する。なお、前述した第１実施形態に係る集熱レシーバ１０Ａおよび第２実施形態に係る集熱レシーバ１０Ｂと共通する部位には同じ符号を付して、重複する説明を省略することとする。
図７（Ａ）ないし図７（Ｃ）には、第３実施形態の集熱レシーバ１０Ｃの吸収体２０Ｃにおける第１のハニカム体２２および第２のハニカム体２３の長さが示されている。
【００４６】
第３実施形態の集熱レシーバ１０Ｃでは、第１のハニカム体２２の第１のハニカム体流路２２２の流路長さを、第２のハニカム体２３の第２のハニカム体流路２３２の流路長さよりも短く設定した。
すなわち、図７（Ａ）に示す場合は、集熱レシーバ１０Ｃの被照射面の中央部に配置されている第１のハニカム体２２の第１のハニカム体流路２２２の長さを、被照射面の周辺部に配置されている第２のハニカム体２３の第２のハニカム体流路２３２よりも短くした。第２のハニカム体流路２３２の長さは、全て同一とした。
【００４７】
図７（Ｂ）に示す場合は、集熱レシーバ１０Ｃの被照射面の中央部に配置されている第１のハニカム体２２の第１のハニカム体流路２２２の長さを、被照射面の周辺部に配置されている第２のハニカム体２３の第２のハニカム体流路２３２よりも短くした。そして、第２のハニカム体流路２３２の長さは、外側に向かうにつれて長くなるように設定した。
また、図７（Ｃ）に示す場合は、集熱レシーバ１０Ｃの被照射面において暖かい空気が溜まりやすい上側のハニカム体２１のハニカム体流路２１１を短くし、冷えた空気が溜まりやすい下側のハニカム体流路２１１を長く設定した。
【００４８】
次に、本実施形態の集熱レシーバ１０Ｃの作用、効果について説明する。
本実施形態の集熱レシーバ１０Ｃによれば、第１のハニカム体流路２２２の流路長さを、第２のハニカム体流路２３２の流路長さよりも短く設定したので、第１のハニカム体２２よりも第２のハニカム体２３の流通抵抗が大きくなり、第２のハニカム体２３の吸引量が減少する。これにより、第２のハニカム体２３による温度が低い周辺部の空気の吸引を抑えて、第１のハニカム体２２が吸引した空気の温度の低下を防止することができ、太陽光ＳＢのエネルギー密度が一様でない集熱レシーバ１０Ｃから効率よくエネルギーを回収することができる。
【００４９】
（第４実施形態）
次に、第４実施形態の集熱レシーバについて、図を用いながら説明する。なお、前述した第１実施形態に係る集熱レシーバ１０Ａないし第３実施形態に係る集熱レシーバ１０Ｃと共通する部位には同じ符号を付して、重複する説明を省略することとする。
図８（Ａ）および図８（Ｂ）には、第４実施形態の集熱レシーバ１０Ｄの吸収体２０Ｄにおけるハニカム体２１の断面が示されている。ハニカム体２１は、複数のハニカム体流路２１１を有する。図８（Ａ）に示すハニカム体２１では、ハニカム体流路２１１の開口率が高く、ハニカム体２１の略全面に開口している。一方、図８（Ｂ）に示すハニカム体２１では、ハニカム体流路２１１の開口率が低く、ハニカム体２１の約半分が開口している。
本実施形態では、第１のハニカム体２２に図８（Ａ）の配置を適用して開口率を大きくし、第２のハニカム体２３に図８（Ｂ）の配置を適用して開口率を小さくする。
【００５０】
次に、本実施形態の集熱レシーバ１０Ｄの作用、効果について説明する。
本実施形態の集熱レシーバ１０Ｄによれば、第２のハニカム体２３の外側端面２３１における第２のハニカム体流路２３２の開口率が、第１のハニカム体流路２２２の開口率よりも小さいので、第２のハニカム体２３の流通に抵抗を生じさせることができる。これにより、第２のハニカム体２３による温度が低い周辺部の空気の吸引を抑えて、第１のハニカム体２２が吸引した空気の温度の低下を防止することができ、太陽光ＳＢのエネルギー密度が一様でない集熱レシーバ１０Ｄから効率よくエネルギーを回収することができる。
【００５１】
本発明の集熱レシーバは、前述した各実施形態に限定されるものでなく、適宜な変形、改良等が可能である。
【産業上の利用可能性】
【００５２】
本発明の集熱レシーバは、太陽光を受けて熱に変換して発電する発電機等に用いることができる。
【符号の説明】
【００５３】
８  ヘリオスタット（ミラー）
１０Ａ、１０Ｂ、１０Ｃ、１０Ｄ  集熱レシーバ
２０Ａ、２０Ｂ、２０Ｃ、２０Ｄ  吸収体
２２  第１のハニカム体
２２１  外側端面（被照射面）
２２２  第１のハニカム体流路
２３  第２のハニカム体
２３１  外側端面（被照射面）
２３２  第２のハニカム体流路
２４  空隙部
２５  突起（抵抗要素）
２６  凹凸（抵抗要素）
３０  ハウジング
Ｌ１  距離
ＳＢ  太陽光
Ｗ１  幅寸法
【図１】
2016017690.tif 000003
【図２】
2016017690.tif 000004
【図３】
2016017690.tif 000005
【図４】
2016017690.tif 000006
【図５】
2016017690.tif 000007
【図６】
2016017690.tif 000008
【図７】
2016017690.tif 000009
【図８】
2016017690.tif 000010